(57)【要約】  【課題】断熱材使用量，外形寸法を増加させることなしに、庫内外の間で熱の出入りを低減して高い省エネ効果を得ることのできる自動販売機を提供する。  【解決手段】外箱１の内壁面に複数の断熱板を配設した自動販売機において、外箱１と断熱板との間に隔離部材１７を設けて外箱１と密着させずに断熱板を配設するので、外箱１と断熱板との間に空気層があり停滞状態にあるので伝熱量が小さくなり、外箱、断熱板を熱貫流する伝熱量が減少する。【選択図】図１
2008171051.tif 000002
【特許請求の範囲】
【請求項１】
外箱の側面部の内壁面に複数の断熱板を配設した自動販売機において、前記側面部と前記断熱板との間に空間部を形成し、前記空間部は前記外箱の前面開口部に向かって大きくなるように構成されていることを特徴とする自動販売機。
【請求項２】
前記空間部は前記外箱と前記断熱板との間に隔離部材を設けて構成されていることを特徴とする請求項１に記載の自動販売機。
【請求項３】
前記隔離部材は前記外箱の側面部によって構成される前面開口部の前端部に断熱板に対応して、上下方向に亘って構成されることを特徴とする請求項２に記載の自動販売機。
【請求項４】
前記隔離部材は、あらかじめ断熱板に接着固定し、前記外箱に当接させて前記断熱板を配設したことを特徴とする請求項２または３に記載の自動販売機。
【請求項５】
前記隔離部材は軟質性発泡樹脂で形成されていることを特徴とする請求項２から４のいずれか一項に記載の自動販売機。
【発明の詳細な説明】
【技術分野】
【０００１】
本発明は、缶飲料やペットボトル飲料等の商品を販売する自動販売機に関するものである。
【背景技術】
【０００２】
従来の自動販売機を図２から図４に示す。１は外箱であり一般的に鋼板で製作されていて、外箱１の内壁に断熱板２、３、４、５を各々装着して断熱筐体を構成している。６は前面外扉、７は断熱内扉であり、外箱１の庫内にはサーペンタイン式商品収納ラック８を収設し、さらにラックの下方には商品搬出シュータ９，および冷却／加熱ユニット１０が設置されている。
【０００３】
なお、シュータ９はその板面に多数の導風穴が開口している。また、断熱内扉７には商品搬出シュータ９から外扉６に設けた商品取出口６ａに通じる商品搬出口を塞ぐように板厚数ミリ程度の樹脂板で作られ、上端を断熱内扉７に軸支して垂下させたフラッパ式の商品搬出扉７ａを備えている。
【０００４】
ここで、前記の冷却／加熱ユニット１０は、風洞に冷却器（冷凍機のエバポレータ）１０ａ，電熱ヒータ１０ｂを内蔵し、その前面に庫内ファン１０ｃを組合せた構成になり、外箱１の庫内背面側に設けた吸込ダクト１１に連ねて庫内底部に設置されている。かかる構成で、商品収納ラック８の各コラムには商品１２が図示のように収納されており、販売指令に基づいて選択されたベンド機構（図示せず）が作動すると、そのコラムの最下位に並ぶ商品が下方に払出された後に商品搬出シュータ９の斜面に沿って転動し、商品搬出扉７ａを押し開いて商品取出口６ａに搬出されることは周知の通りである。
【０００５】
また、冷却／加熱ユニット１０はコールド／ホットの販売モードに合わせて冷却器１０ａ，電熱ヒータ１０ｂのいずれかを選択して運転する。
【０００６】
ここで、外箱１の庫内に収設した商品収納ラック８の下端部周縁に沿って、その外周壁面（前面，左右側面）と外箱１および断熱内扉７の庫内壁面との間にそれぞれ隙間カバー２ａ、７ｂを介挿して商品収納ラック８との間の隙間開口端面を閉塞するようにしている。この隙間カバー２ａ、７ｂは、例えばポリエチレンフォームなどの発泡樹脂材で作り、外箱１の内壁に断熱板２や断熱内扉７の壁面に接着剤で貼り付け固着する。
【０００７】
これにより、冷却器１０ａ，または電熱ヒータ１０ｂで冷却，または加熱された庫内空気が庫内ファン１０ｃにより前方に吹き出し、その冷気流，または暖気流は図示矢印のように上方に方向転換して庫内空間を通風し、庫内の背面側から吸込ダクト１１を経て再び冷却／加熱ユニット１０に戻るように循環送風される。
【０００８】
そして、この冷気流，または暖気流（以下「循環空気流」と称する）との熱交換で商品収納ラック８に収納した商品１２は保冷，または加温される。
【０００９】
また、断熱筐体の外箱１の内壁に装着した断熱板２、３、４、５、や断熱内扉７は、庫内と庫外との間を断熱して外気熱の庫内侵入を抑え、さらに断熱内扉７の商品搬出口から庫内の冷気，暖気が庫外に漏出するのを商品搬出扉７で防止している。
【００１０】
ここで、外箱１の内壁に断熱板２、３、４、５を各々装着する場合には、使用する断熱板２は、図５に示すように、硬質ウレタンフォーム１３の上下面にポリエチレンをコーティングした防湿紙１４、１４ａをラミネートしたものを使用する。
【００１１】
この時、断熱板２を一方の防湿紙１４を残してほぼ中央部で切断し、外箱１の側面をなす側壁１ａの断熱板２は図６に示すように、中央切断面１５を開いて、若干屈折して（ヘの字状）装入する。ついで中央切断面１５部を矢示１６のように下圧すれば、断熱板２の両端面２ａは側壁１ａ側へ摺動し、側壁１ａと密着して装着される。
【特許文献１】特開平１１−２５９７５４号公報
【発明の開示】
【発明が解決しようとする課題】
【００１２】
ところで、前記自動販売機においては、庫内に収納した商品の保冷，加熱に費やす電力の比率が大きいことから、そのランニングコストをできるだけ低く抑えることが重要課題となっている。
【００１３】
従来の自動販売機における庫内を通風する循環空気流の経路を検討すると、図２，図３で示すように冷却／加熱ユニット１０から前方に吹出した循環空気流は、断熱板２との間で熱交換する。
【００１４】
さらに、断熱板２は外箱１との熱交換をすることにより、外気との熱交換をする。この場合に、外箱１、断熱板２との間の熱伝達は、断熱板２と外気との温度差，伝熱面積によって変わり、特に外箱１と断熱板２とが密着している場合には、外箱１と断熱板２との間に空気層があり停滞状態にある場合と比べて伝熱量も大きくなり、外箱１、断熱板２を熱貫流する伝熱量が増大する。
【００１５】
しかも、冷却／加熱ユニット１０から商品搬出シュータ９の導風穴を透過して庫内側空間に吹出した循環空気流（冷気流，または暖気流）は、図示矢印で表すように商品収納ラック８の外周壁面と断熱板２，断熱内扉７との間に残る隙間ｇへの流入が隙間カバー２ａ、７ｂにより阻まれ、ラック内に収納した商品９を冷却，または加熱するために断熱板２の商品収納ラック８の下部周辺に向けて集中的に通風する。
【００１６】
これによって、先の述べた外箱１、断熱板２を熱貫流する伝熱量が増大するので、庫外と庫内の間で出入りする熱量が多くなる。
【００１７】
このために従来構造のままでは外箱１、断熱板２を通じて庫内と庫外との間に出入する熱量が多くなり、それだけ冷却／加熱ユニット１０の熱負荷が増大して自動販売機のランニングコストが嵩むようになる。なお、断熱板２の断熱性能を高めるためには、その断熱板２を厚くすることが考えられるが、断熱材の使用量が増してコスト高となるほか、自動販売機の外形寸法も大きくなる。
【００１８】
本発明は上記の点に鑑みなされたものであり、その目的は、断熱材使用量，外形寸法を増加させることなしに、庫内外の間で熱の出入りを低減して高い省エネ効果が得られる自動販売機を提供することを目的とする。
【課題を解決するための手段】
【００１９】
上記従来の課題を解決するために、外箱の側面部の内壁面に複数の断熱板を配設した自動販売機において、前記側面部と前記断熱板との間に空間部を形成し、前記空間部は前記外箱の前面開口部に向かって大きくなるように構成する。
【００２０】
上記の構成によれば、外箱の側面部と断熱板との間に空間部を構成しているので空気層があり、この空気層が停滞状態にあるので伝熱量が小さくなり、外箱、断熱板を熱貫流する伝熱量が減少する。
【００２１】
これにより、断熱材使用量，外形寸法を増加させることなしに、庫内外の間で熱の出入りを低減する。
【発明の効果】
【００２２】
本発明の自動販売機は、外箱と断熱板との間に空気層があり停滞状態にあるので伝熱量が小さくなり、外箱、断熱板を熱貫流する伝熱量が減少することにより、庫内外の間で熱の出入りを低減できるので消費電力量を低減することができる。
【発明を実施するための最良の形態】
【００２３】
請求項１に記載の発明は、外箱の側面部の内壁面に複数の断熱板を配設した自動販売機において、前記側面部と前記断熱板との間に空間部を形成し、前記空間部は前記外箱の前面開口部に向かって大きくなるように構成したものである。
【００２４】
これによって、特に外気と触れやすい前面開口部側に空間部を形成することで、内部の空気層による熱貫流を低減することができ、庫内外の間で熱の出入りを低減することができる。
【００２５】
請求項２に記載の発明は、請求項１に記載の発明にさらに、前記空間部は前記外箱と前記断熱板との間に隔離部材を設けて構成されているものである。
【００２６】
これによって、外箱と断熱板との間に空間部を形成することができ、庫内外の間で熱の出入りを低減することができる。
【００２７】
請求項３に記載の発明は、請求項２に記載の発明にさらに、前記隔離部材は前記外箱の側面部によって構成される前面開口部の前端部に断熱板に対応して、上下方向に亘って構成されるものである。
【００２８】
これによって、外箱側面部と断熱板との空間部寸法を上下方向に亘って確保することができる。
【００２９】
請求項４に記載の発明は、請求項２または３に記載の発明にさらに、前記隔離部材は、あらかじめ断熱板に接着固定し、前記外箱に当接させて前記断熱板を配設したものである。
【００３０】
これによって、廃棄する場合に断熱板を取り外せば隔離部材も同時に取り外せるので、外箱との分別を容易に行うことができる。
【００３１】
請求項５に記載の発明は、請求項２から４のいずれか一項に記載の発明にさらに、前記隔離部材は軟質性発泡樹脂で形成されているものである。
【００３２】
これによって、断熱材と同じ発泡材で構成されるので、廃棄時に断熱材に接着したまま、廃棄が可能となる。
【００３３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３４】
（実施の形態１）
以下、本発明の実施の形態１を図１に示す例で説明する。図１は、本発明の実施の形態１における断熱板を装着する場合の断面説明図である。
【００３５】
本発明は、自動販売機の外箱１の側面内壁に断熱板２を装着する場合に関するものを例として説明する。従来と同様に冷却／加熱ユニット１０はコールド／ホットの販売モードに合わせて冷却器１０ａ，電熱ヒータ１０ｂのいずれかを選択して運転する。
【００３６】
これにより、冷却器１０ａ，または電熱ヒータ１０ｂで冷却，または加熱された庫内空気は、庫内ファン１０ｃにより前方に吹き出すので、庫内空間において前方部分、つまり外箱１の断熱内扉７側が特に外気との温度差が大きくなる。
【００３７】
そこで、外箱１内壁に断熱板２を装着した際にほぼ断熱板２の断熱内扉７側端となる外箱１内壁には隔離部材１７が設けられている。この隔離部材１７は、例えば軟質発泡樹脂で成形されて圧縮自在の弾性を有しており、接着剤で外箱１内壁に接着されている。また、この隔離部材１７を圧縮したときには樹脂自身の厚みは保有した状態で圧縮される、つまり全く厚みゼロｍｍに圧縮されるのではない。
【００３８】
この状態で断熱板２を外箱１内壁に組み込むと、隔離部材１７を圧縮しながら図示のように側壁に空間部１８を形成して装着される。この場合、空間部１８は空気層であり停滞状態にある。したがって、外箱１と断熱板２との間に空気層があり停滞状態にあるので伝熱量が小さくなり、外箱１、断熱板２を熱貫流する伝熱量が減少することにより、庫内外の間で熱の出入りを低減する。
【００３９】
よって、断熱材使用量，外形寸法を増加させることなしに、庫内外の間で熱の出入りを低減して高い省エネ効果が得られる。
【００４０】
また、隔離部材１７を予め断熱板２に接着しておくと、廃棄する場合に断熱板２を取り外せば隔離部材１７も同時に取り外せるので、一般的に鋼板で製作されている外箱１との分別が容易になる。
【００４１】
ここでは、自動販売機の外箱１の側面内壁に断熱板２を装着する場合に関するものを例として説明したが、外箱１の天面や底面や背面の内壁に断熱板３、断熱板４、断熱板５を装着する場合にも同様の効果を得る。
【００４２】
また、隔離部材１７装着作業が良好で、ある程度の厚みを保有した状態で装着されるならば材質は軟質発泡樹脂に限定するものではない。
【産業上の利用可能性】
【００４３】
以上のように、本発明にかかる自動販売機は、外箱と断熱板との間に空気層があり停滞状態にあるので伝熱量が小さくなり、外箱、断熱板を熱貫流する伝熱量が減少することにより、庫内外の間で熱の出入りを低減するので、あらゆる自動販売機に適用できる。
【図面の簡単な説明】
【００４４】
【図１】本発明の実施の形態１における断熱板を装着する場合の断面説明図
【図２】従来の自動販売機の庫内側面断面構成図
【図３】従来の自動販売機の庫内正面構成図
【図４】従来の断熱板を全て装着した場合の斜視図
【図５】従来の断熱板の断面図
【図６】従来の断熱板を装着する場合の断面説明図
【符号の説明】
【００４５】
１  外箱
２、３、４、５  断熱板
１７  隔離部材
１８  空間部
【図１】
2008171051.tif 000003
【図２】
2008171051.tif 000004
【図３】
2008171051.tif 000005
【図４】
2008171051.tif 000006
【図５】
2008171051.tif 000007
【図６】
2008171051.tif 000008